(57)【要約】  【課題】  タクシー等の行き先を、カードを使わず、その都度登録できるようにし、付与された識別符号を乗車時に運転手に告げれば目的地がわかるようにする。  【解決手段】  登録用端末装置１（パソコン、携帯電話等）からタクシー・ハイヤー会社の目的地通知装置２を呼び出し、目的地登録を選択し、目的地の建造物・場所や所番地を入力して登録し、登録時に付与された識別符号を控えておく。登録した会社のタクシー・ハイヤーを呼び、乗車時、運転手に識別符号を告げる。運転手は告げられた識別符号を移動体用端末装置３で入力すれば、目的地通知装置から識別符号に対応する目的地が無線回線５（タクシー無線等）で伝送され、移動体用端末装置に表示される。なお、登録時、地域を指定して地図画面を要求すれば、目的地通知装置から登録用端末装置に地図画面が伝送されるので登録すべき目的地の確認がし易くなる。【選択図】  図１
2007011773.tif 000002
【特許請求の範囲】
【請求項１】
入力手段を有する一台または複数台の端末装置と、
前記端末装置と通信回線を介して接続された目的地通知装置とからなり、
前記目的地通知装置は前記端末装置のうちいずれか一台から入力された目的地に関する情報を通信回線を介して受信し、前記目的地に関する情報に対応付けて識別符号を付与し、前記識別符号を前記目的地に関する情報と対応付けて記憶すると共に、前記識別符号を目的地に関する情報の入力元の端末装置に送出し、
前記目的地に関する情報の入力元の端末装置またはその他の端末装置から前記識別符号を用いて前記目的地通知装置にアクセスすることにより、前記目的地通知装置から前記識別符号に対応する目的地に関する情報を取得可能とすることを特徴とする目的地通知システム。
【請求項２】
目的地に関する情報を入力する端末装置は表示部を備え、前記目的地通知装置に地図データを取得するための地図データ取得部を備え、前記目的地通知装置は前記端末装置からの目的地に関する情報の登録要求に応じて前記地図データ取得部から地図データを読み出し、前記端末装置に送出し、同端末装置は前記表示部にて前記地図データに基づく地図画面を表示可能とし、表示された地図画面を参照して前記目的地に関する情報の入力を可能にしたことを特徴とする請求項１に記載の目的地通知システム。
【請求項３】
入力手段を有する一台または複数台の端末装置と目的地通知装置を用いた目的地通知方法であって、
前記端末装置のうちいずれか一台から通信回線を介して前記目的地通知装置に目的地に関する情報を登録するステップと、
前記目的地通知装置において前記目的地に関する情報に対応付けて識別符号を付与し、前記識別符号を前記目的地に関する情報と共に記憶し、それと共に前記識別符号を目的地に関する情報の入力元の端末装置に送出するステップと、
前記目的地通知装置に通信回線を介して接続された前記目的地に関する情報の入力元の端末装置またはその他の端末装置より、前記識別符号を用いて前記目的地通知装置から前記目的地に関する情報を取得するステップとからなる目的地通知方法。
【請求項４】
入力手段を有する一台または複数台の端末装置と通信を行うための通信部と、
前記端末装置のうちいずれか一台から入力され、送信される目的地に関する情報に対応付けて識別符号を付与し前記目的地に関する情報と共に記憶する識別符号付与記憶部と、
前記通信部および識別符号付与記憶部を制御する制御部とからなる目的地通知装置において、
前記目的地に関する情報の送信元の端末装置またはその他の端末装置からの前記識別符号の受信にて、同識別符号に対応付けられた目的地に関する情報を前記識別符号付与記憶部から読み出し、前記識別符号の送信元の端末装置に送信することを特徴とする目的地通知装置。
【請求項５】
前記目的地通知装置は地図データ取得部を有し、前記端末装置から目的地に関する情報の登録要求があったとき、前記地図データ取得部から地図データを読み出し、前記登録要求元の端末装置に同地図データを送出することを特徴とする請求項４に記載の目的地通知装置。
【発明の詳細な説明】
【技術分野】
【０００１】
本発明は、目的地通知システムおよび目的地通知方法および目的地通知装置に係わり、タクシーやハイヤー等の運転手に乗客の目的地の情報を通知するものに関する。
【背景技術】
【０００２】
タクシーやハイヤー等に乗車の際に運転手にＩＣカードや磁気記録式のカードを渡せば、運転手の操作で乗客の目的地の詳しい情報（所在地）が得られるようにしたものがある。すなわち、例えば、図４に示す如く、タクシー42にはカードデータ読み取り装置を持つ端末装置45が取り付けられ、タクシー会社41に置かれたサーバ装置44とで通常のタクシー無線の通信が行われるようになっている。タクシー会社41のサーバ装置44はクレジットカード等のカード取り扱い会社43のホストコンピュータ46と通信回線47で接続されている。
【０００３】
運転手は乗客から預かったカードを端末装置45のカードデータ読み取り装置に挿着すれば、カードのデータが読み取られ、このデータはタクシー会社41のサーバ装置44にタクシー無線を通じて送信される。サーバ装置44は受信されたカードデータに対応する住所情報や予め登録されている目的地情報等が読み出され、読み出されたデータはタクシー無線の信号で送信され、タクシー42の端末装置45で受信される。受信された内容は端末装置45のディスプレイに表示されるので、運転手は表示内容を乗客に確認し、タクシーを確認された場所に向けて進める。
【０００４】
なお、サーバ装置44で受信されたカードデータは通信回線47を介してカード取り扱い会社43のホストコンピュータ46にも転送され、例えば、乗客がカードで運賃の支払いを希望する場合、ホストコンピュータ46によりカードの有効期限、運賃引き落としの可否等が判断され、得られた情報がタクシー会社41のサーバ装置44に送信され、サーバ装置44からタクシー42の端末装置45に転送され、ディスプレイに表示される。（例えば、特許文献１参照）
【０００５】
このように、予めカードの所有者の個人情報をタクシー会社に登録しておけば、タクシー乗車時にこのカードを持参することにより、運転手に正確に目的地が伝えられるものであるが、これには乗車時にカードを持参することが必須であり、また、いつもと異なる所に行く場合にはカードはそのままでは利用できないという問題もあった。
【０００６】
【特許文献１】特開２００２−２５９５１５号公報（第３−５頁、図１−７）
【発明の開示】
【発明が解決しようとする課題】
【０００７】
本発明は上述の問題点に鑑み、乗客が、目的地をパーソナルコンピュータや携帯電話等を介してタクシー会社に登録することにより、カードを所持する必要がなく、しかも、その都度目的地を登録すればよいのでいつもと異なる場所へ行く場合でも利用できる目的地通知システム、目的地通知方法および目的地通知装置を提供することを目的とする。
【課題を解決するための手段】
【０００８】
本発明は上述の課題を解決するため、入力手段を有する一台または複数台の端末装置と、前記端末装置と通信回線を介して接続された目的地通知装置とからなり、前記目的地通知装置は前記端末装置のうちいずれか一台から入力された目的地に関する情報を通信回線を介して受信し、前記目的地に関する情報に対応付けて識別符号を付与し、前記識別符号を前記目的地に関する情報と対応付けて記憶すると共に、前記識別符号を目的地に関する情報の入力元の端末装置に送出し、前記目的地に関する情報の入力元の端末装置またはその他の端末装置から前記識別符号を用いて前記目的地通知装置にアクセスすることにより、前記目的地通知装置から前記識別符号に対応する目的地に関する情報を取得可能とすることを特徴とする目的地通知システムを構成する。
【０００９】
なお、目的地に関する情報を入力する端末装置は表示部を備え、前記目的地通知装置に地図データを取得するための地図データ取得部を備え、前記目的地通知装置は前記端末装置からの目的地に関する情報の登録要求に応じて前記地図データ取得部から地図データを読み出し、前記端末装置に送出し、同端末装置は前記表示部にて前記地図データに基づく地図画面を表示可能とし、表示された地図画面を参照して前記目的地に関する情報の入力を可能にする。
【００１０】
また、入力手段を有する一台または複数台の端末装置と目的地通知装置を用いた目的地通知方法であって、前記端末装置のうちいずれか一台から通信回線を介して前記目的地通知装置に目的地に関する情報を登録するステップと、前記目的地通知装置において前記目的地に関する情報に対応付けて識別符号を付与し、前記識別符号を前記目的地に関する情報と共に記憶し、それと共に前記識別符号を目的地に関する情報の入力元の端末装置に送出するステップと、前記目的地通知装置に通信回線を介して接続された前記目的地に関する情報の入力元の端末装置またはその他の端末装置より、前記識別符号を用いて前記目的地通知装置から前記目的地に関する情報を取得するステップとからなる目的地通知方法とする。
【００１１】
また、入力手段を有する一台または複数台の端末装置と通信を行うための通信部と、前記端末装置のうちいずれか一台から入力され、送信される目的地に関する情報に対応付けて識別符号を付与し前記目的地に関する情報と共に記憶する識別符号付与記憶部と、前記通信部および識別符号付与記憶部を制御する制御部とからなる目的地通知装置において、前記目的地に関する情報の送信元の端末装置またはその他の端末装置からの前記識別符号の受信にて、同識別符号に対応付けられた目的地に関する情報を前記識別符号付与記憶部から読み出し、前記識別符号の送信元の端末装置に送信することを特徴とする目的地通知装置を構成する。
【００１２】
なお、前記目的地通知装置は地図データ取得部を有し、前記端末装置から目的地に関する情報の登録要求があったとき、前記地図データ取得部から地図データを読み出し、前記登録要求元の端末装置に同地図データを送出するように構成する。
【発明の効果】
【００１３】
以上の手段を用いることにより、本発明による目的地通知システムおよび目的地通知方法および目的地通知装置では、タクシーやハイヤーを利用する際、前もってパーソナルコンピュータや携帯電話等の登録用端末装置からタクシー・ハイヤー会社の目的地通知装置を呼び出し、目的地情報の登録を行い、目的地通知装置から送られてくる識別符号を記憶しておけば、当該会社のタクシーやハイヤーを呼んだとき、運転手にこの識別符号を告げることにより、運転手が車内に設置されている移動体用端末装置でこの識別符号を入力すれば、目的地通知装置からこの識別符号に対応させて登録されている目的地の情報が移動体用端末装置に送られてくるものであるから、乗客にとっては、目的地について細かい説明をする手間が省け、運転手にとっては素早く正確に目的地を把握することが可能となる。
【００１４】
従って、例えば、タクシーやハイヤーをよく利用するが、用件によって目的地が違う等、目的地が複数ある場合に、必要な数だけ目的地を登録しておくこともでき、また、客人をタクシーやハイヤーで送り出すような場合等にも利用できる甚だ有用なものである。
【００１５】
また、日本語に不慣れな外国人であるとか、体に障害を持っていることにより、運転手とコミュニケーションがとりにくい事情を有する人でも、事前に識別符号を取得し、前記識別符号を用いることで、複雑なコミュニケーションをとらなくても運転手に正確に目的地を伝えることができる。
【００１６】
さらに、目的地の登録の際に目的地通知装置から地図データを送ってもらい、地図画面を表示することができるので、地図上で目的地を指定することができ、目的地ははっきりしているが目的地名（例えば、目的地が観光地の場合の観光地の名称等）を忘れてしまったような場合でも対応可能となる。
【発明を実施するための最良の形態】
【００１７】
以下、本発明の実施の形態を、添付図面に基づいた実施例として詳細に説明する。
【実施例１】
【００１８】
図１は本発明による目的地通知システムおよび目的地通知方式および目的地通知装置の一実施例を示す全体構成図で、図１の１はパーソナルコンピュータや携帯電話等の登録用端末装置で、通信回線４で目的地通知装置２と相互に接続される。目的地通知装置２はタクシー・ハイヤー会社等に設置される。３は移動体用端末装置で、タクシーやハイヤーに設置され、タクシー・ハイヤー無線用の無線回線５で目的地通知装置２と相互に接続される。
【００１９】
図２は要部ブロック図で、登録用端末装置１の11は目的地に関する情報の入力をする入力部、12は目的地通知装置２から送られる地図を表示したり、後に説明する目的地通知装置２において、目的地に関する情報に対応させて付与され送出される識別符号を表示する表示部、13は登録用端末装置１の各部を制御する制御部、14は目的地通知装置２との通信信号を通信回線４を介して入出力するインターフェース（Ｉ／Ｆ）である。
【００２０】
目的地通知装置２の21は登録用端末装置１との通信信号や移動体用端末装置３との通信信号を送受信する通信部で、22は登録用端末装置１との通信信号を通信回線４を介して入出力するインターフェース（Ｉ／Ｆ）、23は移動体用端末装置３との無線通信を無線回線５を介して行う無線通信部、24は外部から地図データを取得する地図データ取得部、25は目的地に関する情報の登録に際して登録ごとに識別符号を付与し目的地に関する情報と対応させて登録する識別符号付与記憶部、26は目的地通知装置２の各部を制御する制御部である。
【００２１】
なお、前記地図データ取得部24にて取得する地図データは、地図データが格納されている記憶媒体（DVD等）から取得するようにしても良いし、通信回線を用いて所定の場所より取得するようにしてもよい。また、前記地図データ取得部24内に記憶部を設け、前記のような種々の手段により取得した地図データを記憶しておき、必要に応じて当該記憶部から地図データを読み出すようにしても良い。
【００２２】
移動体用端末装置３の31は識別符号を入力する入力部で、ボタン操作や音声入力等で識別符号を入力するもの、32は目的地通知装置２から送られてきた目的地に関する情報を表示する液晶表示装置等を用いた表示部、33は移動体用端末装置３の各部を制御する制御部、34は目的地通知装置２との無線通信を行う無線通信部である。
【００２３】
以上の構成において、次にその動作を図３に示すフローチャートを用いて説明する。登録用端末装置１はパーソナルコンピュータ（携帯形を含む）または携帯電話で、この登録用端末装置１から利用するタクシー・ハイヤー会社の目的地通知装置に目的地に関する情報の登録を行う。
【００２４】
目的地に関する情報の登録は以下のように行われる。まず、パーソナルコンピュータのキーボード、または携帯電話のボタンの操作で入力部11よりタクシー・ハイヤー会社の目的地通知装置２にアクセスする（ステップ１、以降、ST１と略す）。この信号は登録用端末装置１の制御部13を介しインターフェース（Ｉ／Ｆ）14を経て通信回線４で目的地通知装置２に接続され、通信部21のＩ／Ｆ22を経て制御部26に入り、制御部26により目的地に関する情報の登録であるか否かを確認するための応答画面を表示するための信号を送出する。応答画面を表示するための信号はＩ／Ｆ21、通信回線４を経て登録用端末装置１に伝送され、Ｉ／Ｆ14を介し制御部13により表示部12に、例えば、「目的地登録？  目的地登録以外？」等の選択画面を表示する（ST２）。なお、本実施例ではパーソナルコンピュータのキーボードや携帯電話のボタン等の入力手段を用いるものとしたが、音声を用いた入力手段とし、目的地通知装置２に音声認識手段を設けるようにしてもよい。
【００２５】
登録用端末装置１のキーボードやボタンの操作で「目的地登録」を選択すれば（ST３）、この信号は入力部11より制御部13を介しＩ／Ｆ14から通信回線４で目的地通知装置２に伝送され、通信部21のＩ／Ｆ22を介し制御部26に入力し、制御部26により、目的地の確認に地図が必要か否かを選択するための応答画面を表示するための信号が送出され、登録用端末装置１に伝送され、表示部12に表示される。地図で確かめたい場合はこの画面で「地図必要」等を選択し、確認（例えば、「♯」等）を入力し、次いで大まかな場所（○○市△△区、あるいは○○線の××駅付近等）を入力する（ST４：Yes)。
【００２６】
目的地通知装置２では、地図画面の要求に従い、制御部26を介し地図データ取得部23から要求された地域の地図データを読み出し、登録用端末装置１に送出する。地図画面は登録用端末装置１の表示部12に表示されるので（ST５）、この画面で目的地の所番地や目印となる建造物等を判別し、キーボードやボタンの操作でこれを入力する（ST６）。なお、地図が不要の場合（前記ST４：No）は「地図不要」等を選択し、目的地の所番地や目印となる建造物等を入力し、確認（「♯」等）を入力する（前記ST６）。
【００２７】
このように、目的地に関する情報が登録されると、目的地通知装置２は、識別符号付与記憶部25にて、入力された目的地に関する情報に対応して識別符号（例えば、４桁の数字やアルファベットと数字の組合せ等）を付与し、目的地に関する情報とそれに対応する識別符号を併せて記憶しておく。同時に目的地通知装置２は、この識別符号を登録用端末装置１に送出する（ST７）。登録用端末装置１では送られてきた識別符号が表示部12に表示されるので（ST８）、これを、例えば、携帯電話のメモリに記憶させたり、メモリカード等の記憶媒体に記憶させる等して控えておく。なお、送られてきた識別符号は必ずしも表示部12に表示させる必要はなく、直接、登録用端末に備えられたメモリ等の記憶手段に記憶させる等してもよい。
【００２８】
そして、目的地を登録した会社のタクシーやハイヤーを呼んだとき、乗車時、上記の識別符号を運転手に告げる（ST9）。運転手が移動体用端末装置３のボタン操作等で入力部31より客の告げた識別符号を入力すれば（ST10）、この信号は制御部33を介し無線通信部34により無線回線５（タクシー無線等）で目的地通知装置２に伝送され、通信部21の無線通信部23で受信され、制御部26により、識別符号付与記憶部25より、受信された識別符号に対応する目的地に関する情報が読み出され、制御部26を介し通信部21の無線通信部23から発信される（ST11）。この信号は無線回線５を経て移動体用端末装置３の無線通信部34で受信され、制御部33を介し表示部32に入力し、目的地に関する情報が画面に表示される（ST12）。運転手は表示された目的地に関する情報を乗客に見せる等して確認してもらえばよい。
【００２９】
なお、出力される目的地に関する情報については、入力された目的地に関する情報に基づいて、地図上で当該目的地を特定する処理を行う出力データ処理部を目的地通知装置内に設け、前記処理部にて地図上で目的地を特定した情報を目的地通知装置から出力することも考えられるし、目的地通知装置２からの情報を移動体に設置されているカーナビゲーション装置に取り込めるようにし、カーナビゲーション装置の画面で自動的に目的地が指定され表示されるようにしてもよい。
【００３０】
これにより、例えば、タクシーやハイヤーをよく利用するが、用件によって目的地が違う等、目的地が複数ある場合に、前もって必要な数だけ目的地を登録し、これらの識別符号を控えておくことにより、乗車の際、所望の目的地の識別符号を運転手に告げるようにすれば、なお一層面倒な手間を省くことができる。また、客人をタクシーやハイヤーで送り出すような場合等にも利用できる。
【００３１】
また、目的地の登録にあたっては、一箇所のみの登録しかできないわけではなく、たとえば、観光等で複数箇所を訪れる予定があり、かつ、訪れる順番が決まっているような乗客に対応するため、複数の目的地とその訪れる順番を入力可能としてもよい。
また、その場合には、目的地通知装置で複数の目的地のうちどこまで訪れたかを管理可能とし、乗客が事前に訪れる目的地およびその訪れる順番を登録し、識別符号を取得しておくことにより、タクシー等に乗車する度に目的地を運転手に説明する必要をなくすというような実施態様も考えられる。
【００３２】
なお、登録用端末装置１はオフィスや家庭に設置されたパーソナルコンピュータや、目的地通知装置２にアクセス可能な機能を有する携帯形のパーソナルコンピュータや携帯電話であり、例えば、目的地の電話番号を入力することにより、目的地通知装置２で目的地の所番地を検索し、登録用端末装置１に返送するようにしてもよい。また、移動体用端末装置３はタクシー・ハイヤー無線装置に併設し、タクシー無線の電波を利用するようにしてもよい。
【図面の簡単な説明】
【００３３】
【図１】本発明による目的地通知システムおよび目的地通知方法の一実施例を示す全体構成図である。
【図２】本発明による目的地通知システム、目的地通知方法および目的地通知装置の一実施例を示す要部ブロック図である。
【図３】本発明による目的地通知システム、目的地通知方法および目的地通知装置の動作を説明するためのフローチャートである。
【図４】従来の目的地通知システムおよび目的地通知方法の一例の要部ブロック図である。
【符号の説明】
【００３４】
１  登録用端末装置
２  目的地通知装置
３  移動体用端末装置
４  通信回線
５  無線回線
11、31  入力部
12、32  表示部
13、26、33  制御部
14、22  Ｉ／Ｆ（インターフェース）
21  通信部
23、34  無線通信部
24  地図データ取得部
25  識別符号付与記憶部
【図１】
2007011773.tif 000003
【図２】
2007011773.tif 000004
【図３】
2007011773.tif 000005
【図４】
2007011773.tif 000006